(57)【要約】【課題】本発明は、アスペクト比変換を行って再生する場合において、ユーザが意図する構図を維持しつつ、画面切り出し位置の変化による視覚的な違和感を無くすことが可能な再生装置を提供する。【解決手段】記録された映像信号をアスペクト比変換して再生する場合、予め実際の再生画像の構図を見ながらユーザが画面切り出し位置変更情報を設定して記録メディア２８に記録する。そして、記録された画面切り出し位置情報を検出して、該画面切り出し位置情報に基づいて、アスペクト比変換された映像信号の再生画面における画面切り出し位置を徐々に変化させる。【選択図】図５
2007150907.tif 000002
【特許請求の範囲】
【請求項１】
映像信号を記録媒体に記録し再生することが可能な記録再生手段と、前記記録媒体に記録された映像信号をアスペクト比変換するアスペクト比変換手段と、前記再生される映像信号上で画面切り出し位置を変更する場面として設定された画面切り出し位置を画面切り出し位置情報として記録する画面切り出し位置情報記録手段とを備える再生装置において、
前記記録された映像信号をアスペクト比変換して再生する際に、前記記録された画面切り出し位置情報を検出する画面切り出し位置情報検出手段と、
前記検出された画面切り出し位置情報に基づいて、前記アスペクト比変換された映像信号の再生画面における画面切り出し位置を徐々に変化させる画面切り出し位置変更手段とを備えることを特徴とする再生装置。
【請求項２】
前記画面切り出し位置変更手段は、前記徐々に変化させた画面切り出し位置を変化前の画面切り出し位置に戻すことを特徴とする請求項１記載の再生装置。
【請求項３】
前記画面切り出し位置変更手段は、前記変化前の画面切り出し位置に戻すタイミングをシーンチェンジを利用して行うことを特徴とする請求項２記載の再生装置。
【請求項４】
前記画面切り出し位置情報記録手段は、前記画面切り出し位置情報として、ユーザが画面切り出し位置の変更を希望する場面を示す画面切り出し位置変更点と、画面の切り出し部分を設定するための画面切り出し位置モードと、設定された画面切り出し位置モードでの画面切り出し位置変更を持続させる時間を示す画面切り出し位置保持時間の各情報を前記記録媒体に記録することを特徴とする請求項１乃至３のいずれか１項に記載の再生装置。
【請求項５】
前記画面切り出し位置変更手段は、前記画面切り出し位置変更点に基づいて、前記画面切り出し位置の変更を開始する始点及び画面切り出し位置の変更を終了する終点を設定する始点終点設定手段を備えることを特徴とする請求項４記載の再生装置。
【請求項６】
映像信号を記録媒体に記録し再生することが可能な記録再生手段と、前記記録媒体に記録された映像信号をアスペクト比変換するアスペクト比変換手段と、前記再生される映像信号上で画面切り出し位置を変更する場面として設定された画面切り出し位置を画面切り出し位置情報として記録する画面切り出し位置情報記録手段とを備える再生装置の再生方法において、
前記記録された映像信号をアスペクト比変換して再生する際に、前記記録された画面切り出し位置情報を検出する画面切り出し位置情報検出工程と、
前記検出された画面切り出し位置情報に基づいて、前記アスペクト比変換された映像信号の再生画面における画面切り出し位置を徐々に変化させる画面切り出し位置変更工程とを備えることを特徴とする再生方法。
【請求項７】
前記画面切り出し位置変更工程は、前記徐々に変化させた画面切り出し位置を変化前の画面切り出し位置に戻すことを特徴とする請求項６記載の再生方法。
【請求項８】
前記画面切り出し位置変更工程は、前記変化前の画面切り出し位置に戻すタイミングをシーンチェンジを利用して行うことを特徴とする請求項７記載の再生方法。
【請求項９】
前記画面切り出し位置情報記録手段は、前記画面切り出し位置情報として、ユーザが画面切り出し位置の変更を希望する場面を示す画面切り出し位置変更点と、画面の切り出し部分を設定するための画面切り出し位置モードと、設定された画面切り出し位置モードでの画面切り出し位置変更を持続させる時間を示す画面切り出し位置保持時間の各情報を前記記録媒体に記録することを特徴とする請求項６乃至８のいずれか１項に記載の再生方法。
【請求項１０】
前記画面切り出し位置変更工程は、前記画面切り出し位置変更点に基づいて、前記画面切り出し位置の変更を開始する始点及び画面切り出し位置の変更を終了する終点を設定することを特徴とする請求項９記載の再生方法。
【請求項１１】
請求項６乃至１０のいずれか１項に記載の再生方法をコンピュータに実行させるためのコンピュータに読み取り可能なプログラム。
【発明の詳細な説明】
【技術分野】
【０００１】
本発明は、記録媒体等に記録された映像信号をアスペクト比変換して再生する場合、予め記録された画面切り出し位置情報を検出し、ユーザが意図する構図で画面切り出し位置を変化させることが可能な再生装置及びその再生方法、並びにプログラムに関する。
【背景技術】
【０００２】
近年、ハイビジョン放送などのデジタル放送の開始に伴い、放送局において処理されるテレビジョン信号には、ＳＤＴＶ（Standard Definition Television）信号と、ＨＤＴＶ（High Definition Television）信号が混在している。ＳＤＴＶ信号は従来の標準テレビジョン映像信号である。ＨＤＴＶ信号は、より高品位な映像及び音声をワイドかつ大画面で提供できるハイビジョン映像信号である。
【０００３】
ＳＤＴＶ信号の映像をＨＤＴＶ信号の映像として用いる場合は、ＳＤＴＶ信号をアップコンバートする。一方、ＨＤＴＶ信号の映像をＳＤＴＶ信号（以降、「ＳＤ」という）の映像として用いる場合は、ＨＤＴＶ信号（以降、「ＨＤ」という）をダウンコンバートする。その際、アスペクト比（画面の縦横比）がＳＤ４：３とＨＤ１６：９とでは異なるため、アスペクト比変換を行う必要がある。
【０００４】
アスペクト比変換にはいくつかの方法がある。例えば、ＳＤをＨＤへアップコンバートする場合は、図８（ａ）〜図８（ｃ）に示すような上下カットというアスペクト比変換方法が存在する。
【０００５】
図８（ａ）〜図８（ｃ）において、１４はＳＤ映像の画面（アスペクト比４：３）、１５はＨＤ映像の画面（アスペクト比１６：９）、１６は画面切り出し領域を示す。上下カットによるアスペクト比変換方法では、まず、図８（ａ）に示すＳＤ映像の横幅をアスペクト比１６：９に合わせ、図８（ｃ）に示すように、上下のはみ出た映像部分（画面切り出し領域）を切り出してアスペクト比変換を行う。これにより、図８（ｂ）に示すように、アスペクト比１６：９のＨＤＴＶ向けの映像が生成される。
【０００６】
また、映像信号をアスペクト比変換して再生する場合、一般的に、図８（ｃ）に示すように画面の中心を基準として画面を切り出すように設定されていることが多い。
【０００７】
そこで、アスペクト比４：３の映像をアスペクト比１６：９のモニタに表示する際に、画面の切り出す範囲を変更可能とする映像信号表示装置が提案されている（例えば、特許文献１参照）。
【特許文献１】特開２００５−２２９５７８号公報
【発明の開示】
【発明が解決しようとする課題】
【０００８】
しかしながら、撮影者等を含むユーザの意図する被写体が常に画面中央に配置される構図で撮影できるとは限らないことから、上記従来の上下カットによるアスペクト比変換方法では、上下部分の画面切り出しにより視覚的な違和感を与えてしまうという問題がある。
【０００９】
例えば、被写体を水平方向へ推移（パン）しながら記録されたＳＤ映像の再生画面の一例を図９に示す。図９において、画面３−１〜３−５は、同一シーンでｎ秒間隔に５フレームを抜き出した画面である。ユーザが意図する被写体はＡ，Ｂである。
【００１０】
次に、図９に示した５フレームを、画面の中心を基準としてアスペクト比変換した再生画面を図１０に示す。図１０において、画面４−１〜４−５は、画面３−１〜３−５の上下部分の画面が従来の上下カットによるアスペクト比変換を行うことにより切り出されたものである。この画面切り出しによって、ユーザが意図する被写体の一つであるＢの大部分が画面上に表示されていない。
【００１１】
このように、従来のアスペクト比変換方法では、記録された映像をアスペクト比変換して再生する場合、ユーザの意図する被写体が画面上に現れないことや構図を崩してしまうことがある。
【００１２】
そこで、ユーザが意図する構図にするために、所望の場面において画面切り出し位置を変更するように予め所定の情報を付加し、該所定の情報に基づいて、記録映像の再生時に画面切り出し位置を変更する画面切り出し位置変更制御に関する技術が提案されている。この画面切り出し位置変更制御処理のフローチャートを図１１に示す。
【００１３】
図１１において、再生モードが選択された場合（ステップＳ９０でＹＥＳ）、予め設定されたユーザ情報ファイルから画面切り出し位置情報を検出し（ステップＳ１００）、画面切り出し位置変更点と画面切り出し位置を取得する。次に、再生ボタンが押下（再生ＯＮ）された後（ステップＳ１１０でＹＥＳ）、記録映像がアスペクト比変換されて再生され、画面切り出し位置変更点に達したときは（ステップＳ１２０でＹＥＳ）、画面切り出し位置を変更する（ステップＳ１３０）。
【００１４】
図９に示した画面３−１〜画面３−５のうち、画面３−５を画面切り出し位置変更点として画面切り出し位置を変更してアスペクト比変換したものを図１２に示す。図１２において、画面６−５では、被写体Ａ，Ｂが共に画面に表示されているため、ユーザの意図した構図が保たれている。
【００１５】
しかしながら、画面６−１から画面６−５までの一連の画面では、画面６−５において急に画面の位置が上にずれるため、映像を見ている人に対して視覚的な違和感を与えてしまうという問題がある。
【００１６】
本発明は、上記問題に鑑みて成され、アスペクト比変換を行って再生する場合において、ユーザが意図する構図を維持しつつ、画面切り出し位置の変化による視覚的な違和感を無くすことが可能な再生装置及びその再生方法、並びにプログラムを提供することにある。
【課題を解決するための手段】
【００１７】
上記目的を達成するために、請求項１記載の再生装置は、映像信号を記録媒体に記録し再生することが可能な記録再生手段と、前記記録媒体に記録された映像信号をアスペクト比変換するアスペクト比変換手段と、前記再生される映像信号上で画面切り出し位置を変更する場面として設定された画面切り出し位置を画面切り出し位置情報として記録する画面切り出し位置情報記録手段とを備える再生装置において、前記記録された映像信号をアスペクト比変換して再生する際に、前記記録された画面切り出し位置情報を検出する画面切り出し位置情報検出手段と、前記検出された画面切り出し位置情報に基づいて、前記アスペクト比変換された映像信号の再生画面における画面切り出し位置を徐々に変化させる画面切り出し位置変更手段とを備えることを特徴とする。
【００１８】
上記目的を達成するために、請求項６記載の再生装置の再生方法は、映像信号を記録媒体に記録し再生することが可能な記録再生手段と、前記記録媒体に記録された映像信号をアスペクト比変換するアスペクト比変換手段と、前記再生される映像信号上で画面切り出し位置を変更する場面として設定された画面切り出し位置を画面切り出し位置情報として記録する画面切り出し位置情報記録手段とを備える再生装置の再生方法において、前記記録された映像信号をアスペクト比変換して再生する際に、前記記録された画面切り出し位置情報を検出する画面切り出し位置情報検出工程と、前記検出された画面切り出し位置情報に基づいて、前記アスペクト比変換された映像信号の再生画面における画面切り出し位置を徐々に変化させる画面切り出し位置変更工程とを備えることを特徴とする。
【発明の効果】
【００１９】
本発明によれば、記録された映像信号をアスペクト比変換して再生する際に、記録された画面切り出し位置情報を検出する。そして、検出された画面切り出し位置情報に基づいて、アスペクト比変換された映像信号の再生画面における画面切り出し位置を徐々に変化させる。これにより、アスペクト比変換を行って再生する場合において、ユーザが意図する構図を維持しつつ、画面切り出し位置の変化による視覚的な違和感を無くすことができる。
【発明を実施するための最良の形態】
【００２０】
以下、本発明の実施の形態を図面を参照して詳細に説明する。
【００２１】
図１は、本発明の実施の形態に係る再生装置の構成を示す図である。本再生装置は、映像信号を光ディスク等の記録メディアに記録することが可能な記録再生装置である。本実施の形態では、再生装置１が光ディスクに記録されたＳＤ映像をＨＤサイズの映像にアップコンバートして再生表示するときの動作処理について説明する。
【００２２】
図１において、再生装置１は、画像入力部１７と、画像処理部１８と、画像表示部１９と、フォーマット制御部２０と、記録・読み出し部２１と、音声入力部２２と、音声処理部２３と、音声出力部２４と、ユーザ管理情報入力部２５とを備える。また、再生装置１は、ユーザ管理情報検出部２６と、画面切り出し位置制御部２７と、着脱可能な記録メディア２８と、内蔵メモリ２９とを備える。
【００２３】
画像入力部１７は、例えば、複数のレンズやＣＣＤ（Charge-Coupled Device）で構成された撮像部である。画像入力部１７により入力された画像（映像）は、画像処理部１８にて画像処理され、液晶モニタ等で構成される画像表示部１９により表示される。
【００２４】
マイク等で構成される音声入力部２２により入力された音声は、音声処理部２３にて音声処理され、スピーカ等で構成される音声出力部２４によって出力される。
【００２５】
このように、画像処理された映像及び音声処理された音声は、フォーマット制御部２０により記録可能なフォーマットに変換され、記録・読み出し部２１により、第１の記録媒体である記録メディア２８に記録される。本実施の形態では、記録メディア２８として光ディスクを利用しているが、常に書き換え可能でないものとする。
【００２６】
記録メディア２８に記録された映像及び音声は、記録・読み出し部２１により読み出され、フォーマット制御部２０により表示及び出力可能なフォーマットに変換される。その後、映像は画像処理部１８にて画像処理され、画像表示部１９にて表示される。音声は、音声処理部２３にて処理され音声出力部２４にて出力される。
【００２７】
ユーザ管理情報入力部２５は、後述する画面切り出し位置情報が含まれるユーザ情報を入力するものである。ユーザ管理情報入力部２５により入力されたユーザ情報は、記録・読み出し部２１により、第２の記録媒体である内蔵メモリ２９にユーザ情報ファイルとして記録される。そして、記録メディア２８に対して最終処理（ファイナライズ）が行われる際に、記録・読み出し部２１により内蔵メモリ２９からユーザ情報ファイルが読み出され、記録・読み出し部２１により記録メディア２８に記録される。
【００２８】
次に、再生装置１において、記録メディア２８に記録されたＳＤ映像をＨＤサイズの映像にアップコンバートして再生表示する際に、予め設定可能な画面切り出し位置モードを図２（ａ）〜図２（ｃ）に示す。
【００２９】
図２（ａ）は、画面の下側の１６：９の領域を切り出す画面切り出し位置モード１を示す。図２（ｂ）は、画面中央を中心として１６：９の領域を切り出す画面切り出し位置モード２を示す。図２（ｃ）は、画面の上側の１６：９の領域を切り出す画面切り出し位置モード３を示す。
【００３０】
このように、再生装置１では、例えば、ＳＤ映像をＨＤサイズの映像へアップコンバートして再生する場合、画面の切り出し部分を図示の画面切り出し位置モード１〜３のうちから１つ選択することにより設定することが可能である。なお、初期設定は画面切り出し位置モード２であるものとする。
【００３１】
図３は、図１の記録メディア２８に記録されるファイルの概略構造を示す図である。
【００３２】
図３において、記録メディア２８は、画像（映像）ファイルを収める領域として画像フォルダ３０と、音声ファイルを収める領域として音声フォルダとを備える。
【００３３】
画像フォルダ３０は、画像（映像）を再生するための情報ファイル（画像再生ファイル）、実際の画像（映像）データファイル、バックアップファイルとで構成されている。上述したユーザ情報ファイルは、User.infoファイル３１として画像フォルダ３０内の画像データファイルに関連付けて記録される。記録メディア２８である光ディスクが常に書き換え可能である場合は、ユーザ情報ファイルは記録・読み出し部２１にて直接記録メディア２８に書き込まれるものとする。
【００３４】
本実施の形態では、画面切り出し位置情報は、ユーザ情報ファイルとして記録メディア２８に記録される。画面切り出し位置情報は、ユーザが画面切り出し位置の変更を希望する場面（画面）を示す画面切り出し位置変更点、その変更点における画面切り出し位置モード、及び設定された画面切り出し位置モードでの画面切り出し位置変更を持続させる時間を示す画面切り出し位置保持時間の各情報で構成される。
【００３５】
記録メディア２８に記録されているユーザ情報ファイルは、記録・読み出し部２１により読み出される。そして、後述するＣＰＵは、読み出されたユーザ情報ファイル内のUser.infoファイル３１を認識する。そして、ユーザ管理情報検出部２６により画面切り出し位置情報が検出され、検出された画面切り出し位置情報を基づいて画面切り出し位置制御部２７により画面切り出し位置変更制御が行われる。
【００３６】
次に、再生装置１において、ＳＤ映像をＨＤサイズの映像にアップコンバートして再生する場合の画面切り出し位置変更制御について説明する。
【００３７】
図４は、再生装置１における画面切り出し位置変更制御を説明する図であり、（ａ）は画面切り出し位置変更制御処理に係る構成部を示し、（ｂ）アスペクト比変換による画面の変化を示す。
【００３８】
図４（ａ）において、画像処理部１８は、ビデオ信号処理部３２と、アップコンバータ部３３とを備える。記録・読み出し部２１により読み出された画像データは、内蔵メモリ２９に一旦保存される。そして、ビデオ信号処理部３２によってアップコンバートする領域の画像データが該内蔵メモリ２９から読み出されて、アップコンバータ部３３へ渡される。
【００３９】
次に、アップコンバータ部３３によって従来技術である解像度変換が行われ、画像表示部１９によって再生された画像（映像）が表示される。これらはＣＰＵ３４によって制御される。
【００４０】
図４（ｂ）に示すように、ＳＤ映像の画像３５の有効ラインはＮＴＳＣの場合４８０ラインであるが、本実施の形態では３６０ラインの領域（アップコンバート領域）のみがＨＤサイズの画像３６にアップコンバートされる。そこで、画面切り出し位置制御部２７は、全３６０ラインをビデオ信号処理部３２が内蔵メモリ２９からＳＤ映像の画像の何ライン目から読み出すかを制御することによって画面切り出し位置の制御を行う。
【００４１】
ＳＤ映像の画像３５をＨＤサイズの画像３６にアップコンバートして再生表示するには、まず、ユーザがユーザ管理情報入力部２５を介して画面切り出し位置情報を設定する。画面切り出し位置情報には、上述したように、画面切り出し位置変更点、画面切り出し位置モード、及び画面切り出し位置保持時間の各情報が含まれる。
【００４２】
そして、設定された画面切り出し位置情報が記録・読み出し部２１により内蔵メモリ２９へ一旦記録され、記録メディア２８への最終処理を行う際に記録メディアへ記録される。
【００４３】
画面切り出し位置変更制御によりアスペクト比変換が行われた映像の画面の一例を図５に示す。図５に示す画面は、画面切り出し位置変更点が画面９−５、画面切り出し位置モードが画面切り出し位置モード１、画面切り出し位置保持時間が５秒間に設定されたものである。
【００４４】
本実施の形態では、図５に示すように、画面切り出し位置の変更を開始する始点（画面９−１）から画面切り出し位置の変更を終了する終点（画面９−５）の間で、画面の上下部分の画面切り出し領域１６を徐々に変化させている。これにより、ＳＤ映像をアスペクト比変換してＨＤサイズの映像で再生しても、ユーザが意図する構図を維持しつつ、画面切り出し位置変更による視覚的な違和感を無くすことが可能となる。
【００４５】
次に、ユーザ管理情報検出部２６及び画面切り出し位置制御部２７により実行される画面切り出し位置変更制御処理について図６を参照して説明する。
【００４６】
図６は、再生装置１にて実行される画面切り出し位置変更制御処理を示すフローチャートである。
【００４７】
図６において、上述した再生装置１の機能が有効（ＯＮ）で（ステップＳ１でＹＥＳ）、且つ再生モードが選択された場合（ステップＳ２でＹＥＳ）、内蔵メモリ２９又は記録メディア２８に記録されているユーザ情報ファイルから画面切り出し位置情報を検出する（ステップＳ３）。
【００４８】
次に、検出した画面切り出し位置情報に基づいて、画面切り出し位置の変更を開始する始点と画面切り出し位置の変更を終了する終点、終点での画面切り出し位置保持時間を設定する（ステップＳ４）。
【００４９】
本実施の形態では、画面切り出し位置の変更を開始する始点の設定方法は終点より８秒前のフレームとする。そのため、画面切り出し位置の変更を終了する終点として、検出した画面切り出し位置変更点である図５の画面９−５を設定し、始点として終点から８秒前のフレームである図５の画面９−１を設定する。
【００５０】
画面切り出し位置を変更する制御は、画面の切り出しを変えたい点(終点)を指定することで行う。本実施の形態では、なめらかに制御することを前提に始点の設定方法として、「指定された終点からｎ秒前のフレームを始点とする」方法を用いている。画面切り出し位置保持時間は終点からｎ秒間その位置を保持するために設定する値である。したがって、始点から終点までの画面切り出し位置保持時間は、検出した画面切り出し位置保持時間である５秒間を設定する。
【００５１】
次に、再生ボタンが押下（再生ＯＮ）された後（ステップＳ５でＹＥＳ）、再生された映像に対して、画面切り出し位置の変更を開始する始点（ステップＳ６でＹＥＳ）から画面切り出し位置の変更を終了する終点（ステップＳ８でＹＥＳ）まで、図５に示すように画面切り出し領域１６を徐々に変化させて画面切り出し位置変更制御を行う（ステップＳ７）。
【００５２】
なお、設定した始点と終点との間でシーン（チャプター）が変わる点（次のシーン）であるシーンチェンジを検出しても、上記画面切り出し位置変更制御を継続して行うこととする。
【００５３】
本実施の形態では、図５に示すように、始点から終点まで、表示される画像の中心の座標を等間隔に少しずつずらしていくように制御を行う。これにより、内蔵メモリ２９から読み出すＳＤ映像の画像データは、図７（ａ）に示すように、フレーム単位における画像中心位置座標の変化量が略一定になる。
【００５４】
１フレームあたりの中心位置座標の変化量をｎライン、本実施の形態における画面切り出し位置の総移動ライン数は６０ラインとすると、８秒間にはＮＴＳＣの場合２４０フレーム数存在するのでｎ＝０．２５となる。そして、整数ラインずつ変化させなければならないので、４フレームごとに１ラインずつ画面切り出し位置を変化させていくことになる。このときの画面切り出し位置の変化量及び速度は、ユーザが任意に設定可能である。
【００５５】
本実施の形態では、中心位置座標の変化量が図７（ｂ）に示すように推移していたが、図７（ａ）に示す画面の中心位置を上げていく（画面の切り出し位置を下げていく）変化や図７（ｃ）に示す曲線的な変化をさせることも可能である。
【００５６】
また、画面切り出し位置変更の始点及び終点、画面切り出し位置保持時間の設定方法はユーザが任意に設定可能であり、これらは不図示ではあるが再生装置１内のＣＰＵ３４によって制御されるものとする。
【００５７】
一方、上述した再生装置１の機能が無効（ＯＦＦ）で（ステップＳ１でＮＯ）、且つ再生モードが選択された場合（ステップＳ９でＹＥＳ）、内蔵メモリ２９又は記録メディア２８に記録されているユーザ情報ファイルから画面切り出し位置情報を検出する（ステップＳ１０）。
【００５８】
次に、再生ボタン等が押下（再生ＯＮ）され（ステップＳ１１でＹＥＳ）、映像が再生された後、画面切り出し位置変更点に達したときは（ステップＳ１２でＹＥＳ）、上述した画面切り出し位置変更制御を行わず、予め設定された画面切り出し位置を変更する（ステップＳ１３）。ここでは、上述した画面切り出し位置変更制御を行っていないので、図１２に示す従来の画面切り出し位置変更処理となる。
【００５９】
ところで、画面切り出し位置を変更した後に元の画面切り出し位置へ戻す方法としては、例えば、画面切り出し位置を変更したシーン（チャプター）が変わる点（次のシーン）であるシーンチェンジを検出し、検出したシーンチェンジ後の画像で元の画面切り出し位置に戻すようにするとよい。すなわち、シーンチェンジの前後のシーンは全く違う画像であるので、シーンチェンジの点を終点として滑らかに画面切り出し位置を切り替える必要がない。そのため、シーンチェンジを検出することによって元の画面切り出し位置へ戻す場合では、シーンチェンジの点を画面切り出し位置変更点とし、再生装置１の機能を無効にした場合（ステップＳ１でＮＯ）による画面切り出し位置変更を行う。
【００６０】
元の画面切り出し位置へ戻す方法の他の例としては、画面切り出し位置保持時間の５秒間が経った点を始点とし、始点から８秒後（本実施の形態における画面切り出し位置変更を行う場合、終点から始点を設定する際に用いた値）のフレームを終点の位置とする。そして、上述した画面切り出し位置変更制御によって滑らかに元の画面切り出し位置へと変化させるようにする。また、設定した始点と終点との間にシーンチェンジを検出した場合に、始点から終点まで表示される画像の中心座標を等間隔に少しずつずらしていくように制御してもよい。
【００６１】
上記実施の形態によれば、記録された映像信号をアスペクト比変換して再生する場合、予め実際の再生画像の構図を見ながらユーザが画面切り出し位置変更情報を設定して記録メディア２８に記録する。そして、記録された画面切り出し位置情報を検出して、該画面切り出し位置情報に基づいて、アスペクト比変換された映像信号の再生画面における画面切り出し位置を徐々に変化させる。これにより、アスペクト比変換を行って再生する場合において、ユーザが意図する構図を維持しつつ、画面切り出し位置の変化による視覚的な違和感を無くすことができる。
【００６２】
また、本発明の目的は、上述した実施の形態の機能を実現するソフトウェアのプログラムコードを記憶した記憶媒体を、システム或いは装置に供給することによっても達成される。その場合、そのシステム或いは装置のコンピュータ（またはＣＰＵやＭＰＵ等）が記憶媒体に格納されたプログラムコードを読み出して実行する。該記憶媒体から読み出されたプログラムコード自体が上述した実施の形態の機能を実現することになり、そのプログラムコード及び該プログラムコードを記憶した記憶媒体は本発明を構成することになる。
【００６３】
また、プログラムコードを供給するための記憶媒体としては、例えば、フロッピー（登録商標）ディスク、ハードディスク、光ディスク等を用いることができる。また、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ等の光ディスク、磁気テープ、不揮発性のメモリカード、ＲＯＭ等を用いることができる。また、プログラムコードをネットワークを介してダウンロードしてもよい。
【００６４】
コンピュータが読み出したプログラムコードを実行することにより、上述した実施の形態の機能が実現されるだけではない。すなわち、プログラムコードの指示に基づき、コンピュータ上で稼動しているＯＳ（オペレーティングシステム）等が実際の処理の一部又は全部を行い、その処理によって上述した実施の形態の機能が実現される場合も含まれる。
【図面の簡単な説明】
【００６５】
【図１】本発明の実施の形態に係る再生装置の構成を示す図である。
【図２】図１の再生装置１にて画面切り出しを行う際に設定可能な画面切り出し位置モードの概略を示す図であり、（ａ）は画面の上部のみを切り出す画面切り出し位置モード１、（ｂ）は画面中央を中心として画面の上下部分を切り出す画面切り出し位置モード２、（ｃ）は画面の下部のみを切り出す画面切り出し位置モード３を示す。
【図３】図１の記録メディア２８に記録されるファイルの概略構造を示す図である。
【図４】再生装置１における画面切り出し位置変更制御を説明する図であり、（ａ）は画面切り出し位置変更制御処理に係る構成部を示し、（ｂ）アスペクト比変換による画面の変化を示す。
【図５】画面切り出し位置制御によりアスペクト比変換が行われた映像の画面の一例を示す図である。
【図６】本発明のアスペクト比変換時における画面切り出し位置変更制御処理を示すフローチャートである。
【図７】画面切り出し位置制御における画像の中心位置とフレーム数との関係を示す図であり、（ａ）は画面の中心位置を上げていく変化、（ｂ）は画面の中心位置を下げていく変化、（ｃ）は曲線的な変化を示す。
【図８】従来のアスペクト比変換方法の一例である上下カット方法の概略を示す図であり、（ａ）はＳＤ映像の画面、（ｂ）はＨＤ映像の画面、（ｃ）は上下カットされたＨＤ映像の画面を示す。
【図９】従来の再生装置により記録されたＳＤ映像の画面の一例を示す図である。
【図１０】従来の方法によりアスペクト比変換が行われたＨＤ映像の画面の一例を示す図である。
【図１１】従来のアスペクト比変換時における画面切り出し位置変更制御処理を示すフローチャートである。
【図１２】従来の画面切り出し位置変更制御処理により処理された映像の画面の一例を示す図である。
【符号の説明】
【００６６】
１  再生装置
１７  画像入力部
１８  画像処理部
１９  画像表示部
２０  フォーマット制御部
２１  記録・読み出し部
２５  ユーザ管理情報入力部
２６  ユーザ管理情報検出部
２７  画面切り出し位置制御部
２８  記録メディア
２９  内蔵メモリ
３２  ビデオ信号処理部
３３  アップコンバータ部
３４  ＣＰＵ
【図１】
2007150907.tif 000003
【図２】
2007150907.tif 000004
【図３】
2007150907.tif 000005
【図４】
2007150907.tif 000006
【図５】
2007150907.tif 000007
【図６】
2007150907.tif 000008
【図７】
2007150907.tif 000009
【図８】
2007150907.tif 000010
【図９】
2007150907.tif 000011
【図１０】
2007150907.tif 000012
【図１１】
2007150907.tif 000013
【図１２】
2007150907.tif 000014